(57)【要約】【課題】端部から入射した光を発光面から出光させる導光体と、複数の中空セルを有する中空複層体と用いた面発光装置を提供することを目的とする。【解決手段】端面（１６、１７）及び発光面（１２）を有する導光体（１０）と、導光体の端面から光を入射するための光源（３０、４０）と、光源から入射した光を導光体の発光面から出光させるための光偏向手段（Ｒ）と、発光面から出光した光を透過させる複数の中空セル（６１）から構成される中空複層体（６０）を有することを特徴とする面発光装置（１）。【選択図】図２
2007227065.tif 000002
【特許請求の範囲】
【請求項１】
端面及び発光面を有する導光体と、
前記導光体の前記端面から光を入射するための光源と、
前記光源から入射した光を、前記導光体の前記発光面から出光させるための光偏向手段と、
前記発光面から出光した光を透過させる複数の中空セルから構成される中空複層体と、
を有する面発光装置。
【請求項２】
前記発光面は前記端面に対して略９０度の傾きを有する、請求項１に記載の面発光装置。
【請求項３】
前記光偏向手段は、樹脂によって形成された前記導光体の前記発光面を粗面化処理することによって形成される、請求項１に記載の面発光装置。
【請求項４】
前記光偏向手段は、前記発光面上に設けられたランダムな凹凸形状である、請求項１に記載の面発光装置。
【請求項５】
前記光偏向手段は、前記発光面上に設けられたドット形状、Ｖ字状又はＵ字状の溝である、請求項１に記載の面発光装置。
【請求項６】
前記導光体と前記中空複層体は、一体的に形成されている、請求項１〜４の何れか一項に記載の面発光装置。
【請求項７】
前記導光体は、複数の導光棒から構成される、請求項１に記載の面発光装置。
【請求項８】
前記光源は複数のＬＥＤから構成され、前記複数のＬＥＤが、前記複数の導光棒のそれぞれに対応して配置されている、請求項７に記載の面発光装置。
【請求項９】
前記複数のＬＥＤと前記複数の導光棒とをそれぞれ接続させるための複数のリフレクターを更に有する、請求項８に記載の面発光装置。
【請求項１０】
前記複数のＬＥＤから異なった色を発光させ、前記導光体にストライプ柄を表示させるための制御部をさらに有する、請求項９に記載の面発光装置。
【発明の詳細な説明】
【技術分野】
【０００１】
本発明は、面発光装置に関し、端部から入射した光を発光面から出光させる導光体と、複数の中空セルを有する中空複層体とを有する面発光装置に関する。
【背景技術】
【０００２】
液晶ディスプレイ等のバックライトに用いられる面発光装置では、ネオン管等の線状光源からの光を平板状の導光板を用いて拡散させることによって面発光照明を実現している（例えば、特許文献１）。
【０００３】
また、比較的安価なＬＥＤを基板上に等間隔で複数配置し、看板等を裏側から直接照明するための面発光照明装置として利用しようとすることも知られている。
【０００４】
【特許文献１】特開平１１−２３７６２９号公報
【発明の開示】
【発明が解決しようとする課題】
【０００５】
しかしながら、端部から入射した光を発光面から出光させる導光体と、複数の中空セルを有する中空複層体とを用いて、ディスプレイや建物内の照明に用いるための面発光装置を構成しようとすることは知られていなかった。
【０００６】
そこで、本発明は、端部から入射した光を発光面から出光させる導光体と、複数の中空セルを有する中空複層体と用いた面発光装置を提供することを目的とする。
【０００７】
また、本発明は、端部から入射した光を発光面から出光させる導光体と、複数の中空セルを有する中空複層体と、ＬＥＤとを用いて、薄型、省電力、軽量、且つ安価な面発光装置を提供することを目的とする。
【０００８】
さらに、本発明は、端部から入射した光を発光面から出光させる導光体と、複数の中空セルを有する中空複層体と、ＬＥＤとを用いて、淡く、やさしい、エコロジックな色を発光させる面発光装置を提供することを目的とする。
【課題を解決するための手段】
【０００９】
上記課題を解決するために、本発明に係る面発光装置では、端面及び発光面を有する導光体と、導光体の端面から光を入射するための光源と、光源から入射した光を導光体の発光面から出光させるための光偏向手段と、発光面から出光した光を透過させる複数の中空セルから構成される中空複層体を有することを特徴とする。
【００１０】
さらに、本発明に係る面発光装置では、発光面は端面に対して略９０度の傾きを有することが好ましい。
【００１１】
さらに、本発明に係る面発光装置では、光偏向手段は、樹脂によって形成された導光体の発光面を粗面化処理することによって形成されることが好ましい。
【００１２】
さらに、本発明に係る面発光装置では、光偏向手段は、発光面上に設けられたランダムな凹凸形状であることが好ましい。
【００１３】
さらに、本発明に係る面発光装置では、光偏向手段は、発光面上に設けられたドット形状、Ｖ字状又はＵ字状の溝であることが好ましい。
【００１４】
さらに、本発明に係る面発光装置では、導光体と中空複層体は、一体的に形成されていることが好ましい。
【００１５】
さらに、本発明に係る面発光装置では、導光体は、複数の導光棒から構成されることが好ましい。
【００１６】
さらに、本発明に係る面発光装置では、光源は複数のＬＥＤから構成され、複数のＬＥＤが、複数の導光棒のそれぞれに対応して配置されていることが好ましい。
【００１７】
本発明に係る面発光装置は、光源と、光源から出射された光を入射させるための端面及び端面から入射した光を出光させるための光偏向機能を有する発光面を有する導光体と、発光面から出光した光を透過させる複数の中空セルから構成される中空導光体を有することを特徴とする。
【００１８】
さらに、本発明に係る面発光装置では、複数のＬＥＤと複数の導光棒とをそれぞれ接続させるための複数のリフレクターを更に有することが好ましい。各ＬＥＤからの光を効率良く、導光棒に入射させるためである。
【００１９】
さらに、本発明に係る面発光装置では、複数のＬＥＤから異なった色を発光させ、導光体にストライプ柄を表示させるための制御部をさらに有することが好ましい。導光棒毎に異なった色を表示させることによって、導光体全体にストライプ柄を表示させるように構成した。
【発明の効果】
【００２０】
本発明によれば、導光体の端面から入射されるＬＥＤの光によって面発光照明を行うことから、薄型、省電力、軽量、且つ安価な面発光装置を提供することが可能となった。
【００２１】
また、本発明によれば、導光体の粗面化処理された樹脂表面から光を発光させるので、淡く、やさしい、エコロジックな色を発光させることが可能となった。
【００２２】
さらに、本発明によれば、導光体の粗面化処理された樹脂表面から出光した光を、中空複層体によって散乱及び／又は拡散させて装置の外部に出光させるので、さらに、淡く、柔らかな光を作ることが可能となった。
【発明を実施するための最良の形態】
【００２３】
以下、本発明に係る面発光装置を図面を参照しながら説明する。
【００２４】
図１は、本発明に係る面発光装置を壁掛けパネルとして構成した壁掛けパネル型面発光装置１の発光面側から見た正面図である。また、図２は、図１におけるＡＡ´断面図である。本実施形態では、壁掛けパネル型面発光装置１を５００×５００ｍｍに設定した。しかしながら、壁掛けパネル型面発光装置１のサイズはこれに限定されることなく、様々なサイズに形成することができる。
【００２５】
図１及び２に示すように、壁掛けパネル型面発光装置１は、複数の導光棒１１を積層した導光体１０、枠体２０、第１のＬＥＤ光源部３０、第２のＬＥＤ光源部４０、反射シート５０、複数の中空セルを有する中空複層体６０等から構成されている。第１及び第２のＬＥＤ光源部３０及び４０は、導光体１０を図１における図中の上下から挟むように配置され、枠体２０内に固定されている。また、導光体１０の発光面側（図２において、図中上側）には、中空複層体６０が配置されている。また、導光体１０の裏側（図２において、図中下側）には反射シート５０が配置されている。
【００２６】
なお、反射シート５０は、第１及び第２のＬＥＤ光源部３０及び４０からの光を効率良く、発光面側に反射するのに役立つが、必ずしも面発光装置１に備えられている必要はない。さらに、面発光側からの光を制御するために、中空複層体６０の表面に拡散シートやプリズムシートを配置するようにしても良い。
【００２７】
また、図１及び図２の例では、導光体１０の上下にＬＥＤ光源部を配置したが、光量が十分な場合には、一方にのみＬＥＤ光源部を配置することもできる。
【００２８】
図３は、第１のＬＥＤ光源部３０の概略を示した図である。
【００２９】
第１のＬＥＤ光源部３０は、複数のＬＥＤ３１、回路基板３１、リフレクター部３３及び回路素子３４等から構成される。回路基板３２上には、複数のＬＥＤ３１が等間隔で配置され、各ＬＥＤはリフレクター部３３で個々に覆われている。リフレクター部３３の内部には、アルミ蒸着がなされており、ＬＥＤ３１からの光を効率よく導光棒１１へ伝達する機能を有している。なお、リフレクター部３３の内部は、鏡面仕上げがなされていたり、白色の塗料が塗布されていても良い。
【００３０】
各ＬＥＤ３１は、Ｒ色ＬＥＤ素子３５、Ｇ色ＬＥＤ素子３６及びＢ色ＬＥＤ素子３７が一つにパッケージされた３ｉｎ１タイプのＬＥＤであって、入力信号によって、各素子からの光の混色によって複数の色の発光を行うことができる。各ＬＥＤ３１は、制御部３８による制御タイミング及び指定色に従い、電源供給部３９から供給される電流によって指定された色で発光する。なお、各ＬＥＤ３１は、Ｒ色の単色ＬＥＤ、Ｇ色の単色ＬＥＤ、Ｂ色の単色ＬＥＤ又はＷ（ホワイト）色の単色ＬＥＤであっても良い。
【００３１】
制御部３８及び／又は電源供給部３９は、回路素子３４内に構成される。
【００３２】
なお、第２のＬＥＤ光源部４０の構成も、前述した第１のＬＥＤ光源部と同様であるので、ここではその説明を省略する。
【００３３】
図４は、導光体を構成する導光棒１１の一例を示す図である。
【００３４】
本実施形態において、導光棒１１は、縦ａ１４５０ｍｍ、横ｂ１１２ｍｍ、幅（高さ）ｃ１５ｍｍのポリカーボネイト樹脂で構成されている。なお、導光棒１１は、ＭＭＡ樹脂、ＭＳ樹脂、ＰＥＴ等のポリエステル樹脂、ＰＳｔ樹脂、ＣＯＰ樹脂、ＣＯＣ樹脂、ＰＰ樹脂やＰＥ樹脂当のオレフィン樹脂、ＰＶＣ樹脂、アイオノマー樹脂、ガラス等によって構成しても良い。
【００３５】
導光棒１１は、発光面１２、発光面１２と対抗する裏面１３、発光面１２と隣り合う側面１４及び１５、発光面と略９０度の傾きを有しＬＥＤ光源部からの光を入射するための端面１６及び１７を有している。導光棒１１の発光面１２には、端面１６及び／又は端面１７から入射した第１のＬＥＤ光源部３０及び／又は第２のＬＥＤ光源部４０からの光を発光面１２側から出射するための光偏向手段が形成されている。光偏向手段については後述する。
【００３６】
導光棒１１の裏面１３、側面１４及び１５は、導光棒１１内に侵入した光が、これらの面において界面全反射をして外部に射出しないように、平滑且つクリアに磨き仕上げがなされている。なお、平滑且つクリアに磨き仕上げを行う代わりに、導光棒１１の裏面１３、側面１４及び１５に、低屈折率層を設けたり、反射層を設けたりすることもできる。さらに、裏面１３には、光を有効に発光面１２に反射させるために、鏡面仕上げをしたり、高屈折率又は高反射率の塗料を塗布したり、発光面１２と同じような光偏光手段を形成したりすることができる。また、第１及び第２のＬＥＤ光源部３０及び４０からの光が導光棒１１に進入しやすいように、導光棒１１の端面１６及び１７は、平滑化処理が施されている。
【００３７】
導光棒１１の発光面１２全体には、粗面化処理が施されており、粗面化によって生じる微細な凹凸形状によって、端面１６又は１７から進入した光が散乱し、発光面１２から出光する。導光棒１１には、粗面化処理によって、ｚ方向に沿って、Ｖ字状（又はＵ字状）の溝Ｒ（深さ３μｍ、幅２０μｍ、ピッチ１ｍｍ）が均一に形成されており、これらの溝は、光偏向手段として機能する。
【００３８】
即ち、光偏向手段（Ｒ）は、発光面１２上に、定期的又はランダムに形成された、溝、ドット形状又は凹凸形状である。さらに、光偏向手段は、例えば、図４に示す、ｘ方向、ｙ方向、ｚ方向及び／又はｗ方向に沿って、発光面１２全体に形成されることが好ましい。
【００３９】
なお、Ｖ字状（又はＵ字状）の溝のピッチを、導光棒１１の端部と中央部とで異ならせるように設けることも可能である。Ｖ字状（又はＵ字状）の溝のピッチが短い場所では、散乱が多く、出光が多い。したがって、導光棒１１の端部（ＬＥＤ発光部に近い側）のピッチを大きく（例えば、５０ｍｍ）し、導光棒の中央部（ＬＥＤ発光部から遠い側）のピッチを小さく（例えば、５０μｍ）すれば、導光棒１１の全体から均一な出光を行うように制御することが可能となる。なお、溝の形状、深さ、幅やピッチはこの値に限定されるものではなく、適宜他の最適な値を取ることが可能である。
【００４０】
また、発光面１２の粗面化処理は、鋸による切削加工、自動切削器(例えば、ＮＣルーター）による切断加工、ブラスト加工、研磨機材による面加工、エンボス成形加工等によって行うことができる。
【００４１】
鋸による切削加工では、樹脂のバルクから自動丸鋸切断機等によって導光棒を切り出す場合に、鋸刃によって切削された面をそのまま発光面１２とすることができる。この場合、裏面１３、側面１４及び１５、上面１６及び下面１７等は、クリアに磨き仕上げを行うことが必要となる。
【００４２】
また、自動切削機によって、樹脂のバルクから自動丸鋸切断機等によって導光棒を切り出す場合にも、切断面の仕上げをプログラムすることによって、切断面をそのまま発光面１２とすることができる。
【００４３】
さらに、ブラスト加工では、高速噴射機で、導光棒１１の表面に粒子を噴出して、ランダムな凹凸形状を形成して、発光面１２とすることができる。
【００４４】
さらに、研磨機材として例えばヤスリを用い、表面を削り取るようにして導光棒１１の表面の加工を行い、発光面１２とすることができる。
【００４５】
さらに、導光棒１１を押し出し成形によって製造する場合に、金型自体にランダムな凹凸形状を設けたり、成形後の冷却前に表面マット加工用のロール間を通過させたりすることによって、発光面１２を形成することも可能である。
【００４６】
図５は、導光体１０、中空複層体６０及び第１のＬＥＤ光源部３０との関係を示す斜視図である。
【００４７】
導光体１０は、発光面１２を面発光装置１の発光面側に向け、複数の導光棒１１の側面１４及び１５を合わせるようにして、複数個（例えば、４５本）重ねて構成されている。
【００４８】
中空積層体６０は、複数の中空セル６１が、それらの長手方向に沿って一体化した構造を有している。具体的には、天板６２、底板６３及び複数のリブ６４から構成されている。また、１つの中空セル６１は、縦ａ２４５０ｍｍ、横ｂ２５ｍｍ、幅（高さ）ｃ２５ｍｍに設定されおり、天板６２、底板６３及びリブ６４は全て厚さ０．３３ｍｍの透明ポリカーネートによって構成されている。なお、中空複層体６０は、ＰＭＭＡ樹脂、ＭＳ樹脂、ＰＣ樹脂、ＰＥＴ等のポリエステル樹脂、ＰＳｔ樹脂、ＣＯＰ樹脂、ＣＯＣ樹脂、ＰＰ樹脂やＰＥ樹脂当のオレフィン樹脂、ＰＶＣ樹脂、アイオノマー樹脂、ガラス等によって構成しても良い。
【００４９】
１個の導光棒１１に対して２つの中空セル６１が対応するようにして、導光体１０と中空複層体６０が配置されている。なお、導光体１０と中空複層体６０とを、１個の導光棒１１に対して２つの中空セル６１が対応するようにして、光学接着剤によって接着させても良い。
【００５０】
第１のＬＥＤ光源部３０のカバー部３３の大きさは、ちょうど１本の導光棒１１の一方の端面１６又は１７の大きさと同じに構成されており、１本の導光棒１１に対して、１つのカバー部３３が対応している。即ち、１本の導光棒１１に対して、１つのＬＥＤ３１が対応して配置されている。
【００５１】
また、各ＬＥＤ３１の光の放射中心が、各導光棒１１の長手方向と平行になるように各ＬＥＤ３１が配置されていることが好ましく、各ＬＥＤ３１の光の放射中心が、各導光棒１１の長手方向の中心線と一致するように各ＬＥＤ３１が配置されていることが更に好ましい。
【００５２】
なお、図示していないが、第２のＬＥＤ光源部４０の各カバー部４３及び各ＬＥＤ４１も、導光棒１１の他の端面１６又は１７側に、第１のＬＥＤ光源部３０と同様に、配置されている。
【００５３】
次に、面発光装置１における発光方法について説明する。
【００５４】
まず、第１のＬＥＤ光源部３０の各ＬＥＤ３１から射出した光は、導光棒１１の端面１６又は１７の一方側から導光棒１１内に進入する。導光棒１１内に入射した光は、導光棒１１の裏面１３、側面１４及び１５で全反射しながら反対側に配置されたＬＥＤ４１に向かって進んで行く（例えば、図２の光Ｌ参照）。しかしながら、導光棒１１の発光面１２に粗面化処理によって設けられた光偏向手段（Ｒ）が設けられているので、導光棒１１内に入射した光は光偏向手段に入射して、散乱を起こす（例えば、図２の点Ｐ参照）。散乱を起こした光の内の所定量は、発光面１２側から出光する。なお、散乱して再度導光棒１１内に戻る光もあるが、導光棒１１の裏面１３、側面１４及び１５、反射シート５０等によって反射され、何れは、再度反射面１２で散乱して外部へ出光することとなる。
【００５５】
次に、発光面１２から出光した光は、中空複層体６０に入射する。中空複層体６０に入射した光は、底板６３、複数のリブ６４及び天板６２でさらに、散乱・拡散されながら、中空複層体を透過して、面発光装置１の外部へ出光する。
【００５６】
前述したように、導光棒１１は、裏面１３、側面１４及び１５を全て、平滑且つクリアに磨き仕上げがなされているため、導光棒１１に進入した光は、実質的に進入した導光棒１１内のみを進むか又はその導光棒１１の発光面１２から出光し、隣り合う他の導光棒１１へは拡散していかない構成となっている。しかしながら、１つの導光棒１１から出光した光は、中空複層体６０を透過して面発光装置１の外部へ出光するので、中空複層体６０の底板６３、複数のリブ６４、天板６２によって散乱・拡散が発生し、隣り合う導光棒１１間では、隣り合う導光棒１１から出光した光が交じり合うこととなる。
【００５７】
図６は、導光体と中空複層体との関係を説明するための図である。
【００５８】
図６（ａ）は、図５に示したものを、導光棒１１の端面側から示した図である。即ち、１個の導光棒１１に対して、２つのセル６１が対応するように、配置されている。また、前述したように、１つの導光棒１１は、横ｂ１１０ｍｍ、幅（高さ）ｃ１１０ｍｍに設定され、１つの中空セル６１は、横ｂ２５ｍｍ、幅（高さ）ｃ１５ｍｍに設定されている。
【００５９】
図６（ｂ）は、他の導光体１１０と中空複層体１６０とを配置した例であり、前述した導光体１０と中空複層体６０の代わりに、面発光装置１に利用することができる構成である。導光体１１０と中空複層体１６０の材料及び発光面の形成については、図６（ａ）の導光棒１１と中空複層体６０と同様である。導光体１１０を構成する導光棒１１１は、横ｂ１９ｍｍ、幅（高さ）ｃ１５ｍｍに設定され、各導光棒１１０の中空複層体１６０側には、発光面１１２が形成されている。また、中空セル１６１は、横ｂ２４ｍｍ、幅（高さ）ｃ１４ｍｍに設定されている。さらに、導光棒１１０と中空セル１６１の位置関係は考慮されていない。
【００６０】
図６（ｃ）は、更に他の導光体２１０と中空複層体２６０とを配置した例であり、前述した導光体１０と中空複層体６０の代わりに、面発光装置１に利用することができる構成である。導光体２１０と中空複層体２６０の材料及び発光面の形成については、図６（ａ）の導光棒１１と中空複層体６０と同様である。導光体２１０を構成する導光棒２１１は、横ｂ１１２ｍｍ、幅（高さ）ｃ１４ｍｍに設定され、各導光棒２１０の中空複層体２６０側には、発光面２１２が形成されている。また、中空セル２６１は、横ｂ２６ｍｍ、幅（高さ）ｃ１６ｍｍに設定されている。さらに、１個の導光棒２１１に対して、２つの中空セル２６１が対応するように、配置されている。
【００６１】
なお、図６（ａ）〜（ｃ）では、点線にて、ＬＥＤ３１の配置位置を示した。
【００６２】
図７は、他の導光体の一例を示す図である。
【００６３】
図示されるように、導光体３００は、天板３０１、複数のリブ３０２、及び導光部３０３を有しており、天板３０１、リブ３０２及び導光部３０３の表面Ｓ１によって、複数の中空セル３１０が形成されている。即ち、天板３０１、リブ３０２及び導光部３０３の表面Ｓ１によって、中空複層体３３０が構成される。
【００６４】
導光体３００は、導光部３０３及び複数の中空セル３１０を含めて、全体として一体的に押し出し加工によって形成されている。なお、その際に、導光部３０３の表面Ｓ１には、前述した導光体１１の発光面１２と同様に、粗面化処理による光偏向手段としてのドット形状が形成される。したがって、導光部３０３の表面Ｓ１は、導光部３０３の端面から入射した光を出光させるための発光面として機能するので、導光体３００は、前述した導光体１０と中空複層体６０の代わりに、面発光装置１に利用することができる構成である。
【００６５】
なお、導光体３００は、導光部３０３の幅（高さ）ｃ１は１０ｍｍ、中空セル３１０の横ｂ２は５ｍｍ、幅（高さ）ｃ２は５ｍｍ、天板３０１及びリブ３０２の厚さは０．３３ｍｍとし、透明ポリカーネートによって形成した。なお、図中で点線にて、ＬＥＤ３１の配置位置を示した。
【００６６】
図７に示す導光体３００は、前述した導光体１０等と異なり、複数の導光棒から構成されていないので、導光棒毎に異なった色で表示することはできない。しかしながら、ＬＥＤ光源部が有する複数のＬＥＤからの光が、導光部３０３において、混ざりあい、さらに多彩な色による照明を行うことができる。
【００６７】
図８は、更に他の導光体の一例を示す図である。
【００６８】
更に他の導光体４００は、図８（ａ）に示すような天板４１１及び複数のリブ４１２を有する上側構成部４１０と、図８（ｂ）に示すようなスリット４２１を有する導光部４２０とを組み合わせることによって製造される。
【００６９】
図８（ｃ）に示すように、導光体４００は、天板４１１、複数のリブ４１２及び導光部４２０を有しており、天板４１１、リブ４１２及び導光部４２０の表面Ｓ２によって、複数の中空セル４１０が形成されている。即ち、天板４１１、リブ４１２及び導光部４２０の表面Ｓ２によって、中空複層体４３０が構成される。
【００７０】
導光部４２０の表面Ｓ２には、前述した導光体１１の発光面１２と同様に、粗面化処理による光偏向手段としてのドット形状が形成される。したがって、導光部４２０の表面Ｓ２は、導光部４２０の端面から入射した光を出光させるための発光面として機能するので、導光体４００は、前述した導光体１０と中空複層体６０の代わりに、面発光装置１に利用することができる構成である。
【００７１】
なお、導光体４００は、導光部４２０の幅（高さ）ｃ１は１０ｍｍ、中空セル４１０の横ｂ２は１０ｍｍ、幅（高さ）ｃ２は５ｍｍ、天板４１１及びリブ４１２の厚さは０．３３ｍｍとし、透明ポリカーネートによって形成した。なお、図中で点線にて、ＬＥＤ３１の配置位置を示した。
【００７２】
図８に示す導光体４００は、前述した導光体１０等と異なり、複数の導光棒から構成されていないので、導光棒毎に異なった色で表示することはできない。しかしながら、ＬＥＤ光源部が有する複数のＬＥＤからの光が、導光部４２０において、混ざりあい、さらに多彩な色による照明を行うことができる。
【００７３】
図９は、導光体の発色を説明するための図である。
【００７４】
図９（ａ）は、複数の導光棒１１から構成される導光体１０を利用した場合を示している。前述したように、導光棒１１は、裏面１３、側面１４及び１５を全て、平滑且つクリアに磨き仕上げがなされているため、導光棒１１に進入した光は、実質的に進入した導光棒１１内のみを進み、進入した導光棒１１の発光面１２からのみ出光し、隣り合う他の導光棒１１へは拡散していかない。すなわち、制御部３８は、ストライプ柄を導光体１０上に表示することができる。
【００７５】
したがって、図９（ａ）に示すように、各導光棒１１に対応するＬＥＤ３１が、Ｒ光とＢ光を交互に射出する場合、導光棒１１の発光面１２も交互にＲ色とＢ色を発光することとなる。
【００７６】
導光体１０からの出光した光は、更に中空複層体６０へ入射する、中空複層体６０へ入射した光は、中空複層体６０の底板６３、複数のリブ６４、天板６２によって散乱・拡散が発生し、隣り合う導光棒１１間では、隣り合う導光棒１１から出光した光が交じり合うこととなる。導光体１０では、導光棒１１の粗面化処理された樹脂表面から光を発光させるので、淡く、やさしい、エコロジックな色、例えば氷の中から発光がなされているような光を出光させることができる。さらに、面発光装置１では、導光体１０から出光した光を中空複層体６０を介して出光させるため、さらにやわらかな光を発することを可能としている。
【００７７】
なお、図９（ａ）の例は、他の導光体１１０（図６（ｂ）参照）及び２１０（図６（ｃ）参照）にも当てはまる。
【００７８】
図９（ｂ）は、単体の導光体３０３（図７参照）を利用した場合を示している。単体の導光体３０３では、導光体１０と異なり、導光体３０３に進入した光は、左右へ拡散してしまい、導光体３０３全体としては、複数の色が交じり合った色を出光することとなる。
【００７９】
したがって、図９（ｂ）に示すように、ＬＥＤ３１が、Ｒ光とＢ光を交互に射出する場合、導光体３０３全体としては、Ｒ色とＢ色が交じり合った赤紫色の光を出光することとなる。なお、図９（ｂ）の例は、他の導光体４００（図８（ｃ）参照）にも当てはまる。
【００８０】
図１０は、導光体の他の発色を説明するための図である。
【００８１】
図１０の例では、導光棒１１の図中上部の第１のＬＥＤ光源３０からＲ色を発光させ、導光棒１１の図中下部の第２のＬＥＤ光源４０からＢ色を発光させることによって、導光体１０の上部領域１００１でＲ色の発光をさせ、導光体１０の下部領域１００３でＢ色の発光をさせ、導光体１０の中間部１００２で、Ｒ色とＢ色が交じり合った赤紫色の発光をさせている。なお、混色の割合は、第１のＬＥＤ光源３０と第２のＬＥＤ光源４０の発光強度を制御することによって、任意に決定することができる。
【００８２】
図１１は、本発明に係る他のパネル型面発光装置の断面図である。
【００８３】
図１１に示す他のパネル型面発光装置２は、図２に示したパネル型面発光装置１と比較して、反射層５０及び枠体２０の裏面の代わりに、裏面の無い枠体２１及び保護プレート２２を有している点が異なっている。なお、保護プレート２２は、半透明な樹脂で形成された板状体である。
【００８４】
パネル型面発光装置２では、発光面１２に形成された光偏向手段における光の散乱・反射によって、保護プレート２２側にも面発光を行うことができる。即ち、両面から面発光を行うことが可能となる。
【００８５】
図１２は、導光体と中空複層体との他の配置関係を示す図である。
【００８６】
図５の例では、導光棒１１と中空セル６１が平行となるように、導光体１０及び中空複層体６０を配置した。しかしながら、図１２に示すように、導光棒１１と中空セル６１が垂直となるように、導光体１０及び中空複層体６０を配置することもできる。また、導光棒１１と中空セル６１とが任意の角度（例えば、４５度）となるように、導光体１０及び中空複層体６０を配置することもできる。導光体１０と中空複層体６０との配置関係を変化させることによって、導光棒１１から出光した光の散乱・反射具合を調整して、好みの面発光を行うことが可能となる。
【００８７】
このように、本発明に係る面発光装置１では、導光体の粗面化処理された樹脂表面から光を出光させ、さらに中空複層体を介して光を発光させるので、淡く、やさしい、にじみのある、エコロジックな色を発光することができる面発光装置を構成することが可能となった。
【００８８】
以上、本発明に係る面発光装置を、壁掛けパネル型に構成したものを用いて説明を行ったが、本発明に係る面発光装置は軽量且つ簡易な構成である利点を生かし、パネル型以外の多くの屋内、屋外用の照明器具、建材等として利用することができる。
【図面の簡単な説明】
【００８９】
【図１】本発明に係る壁掛けパネル型面発光装置の発光面側から見た正面図である。
【図２】図１に示す壁掛けパネル型面発光装置の断面図である。
【図３】ＬＥＤ光源部の概略構成を示す図である。
【図４】導光棒の一例を示す図である。
【図５】導光体、中空複層体及びＬＥＤ光源部との関係を示す斜視図である。
【図６】導光体と中空複層体との関係を示す図である。
【図７】他の導光体を示す図である。
【図８】さらに他の導光体を示す図である。
【図９】導光体の発光を説明するための図である。
【図１０】導光体の他の発光を説明するための図である。
【図１１】本発明に係る他のパネル型面発光装置の断面図である。
【図１２】導光体と中空複層体との他の配置関係を示す斜視図である。
【符号の説明】
【００９０】
１、２    壁掛けパネル型面発光装置
１０、１１０、２１０、３０３、４２０    導光体
１１、１１’、１１１、２１１    導光棒
１２    発光面
１６、１７    端面
２０、２２    枠体
３０、４０    ＬＥＤ光源部
３１、４１    ＬＥＤ
３３、４３    リフレクター部
３８    制御部
６０、１６０、２６０、３３０、４３０    中空複層体
Ｒ    光偏向手段
【図１】
2007227065.tif 000003
【図２】
2007227065.tif 000004
【図３】
2007227065.tif 000005
【図４】
2007227065.tif 000006
【図５】
2007227065.tif 000007
【図６】
2007227065.tif 000008
【図７】
2007227065.tif 000009
【図８】
2007227065.tif 000010
【図９】
2007227065.tif 000011
【図１０】
2007227065.tif 000012
【図１１】
2007227065.tif 000013
【図１２】
2007227065.tif 000014